(57)【要約】【課題】遠赤外線の放射量を高めつつ軽量化されたヘアーアイロンを提供する。【解決手段】ヘアーアイロン１は、第１アーム２１における第２アーム２２に対向する部位に断熱部材５を介して設けられ、施術時に毛髪に接触する第１接触部４１と、第２アーム２２における第１アーム２１に対向する部位に設けられ、施術時に毛髪に接触する第２接触部４２と、第１接触部４１と第２接触部４２との少なくとも一方を加熱するヒータ７１、７２とを備え、第１接触部４１と第２接触部４２とはそれぞれ板状の基材４１１、４２１を有し、それら基材４１１、４２１の少なくとも一方は、黒鉛から形成され、ヒータ７１、７２は、基材４１１、４２１の一方の面に接触するように配されている。【選択図】図１
2020018936.tif 000002
【特許請求の範囲】
【請求項１】
長尺の第１アームと、長尺であり、長手方向の一端部が前記第１アームの長手方向の一端部に枢着され、他端部が前記第１アームの他端部に対して近づく方向または遠ざかる方向へ移動自在である第２アームと、を有し、前記第１アームと前記第２アームとで毛髪を挟持して施術するヘアーアイロンであって、
前記第１アームにおける前記第２アームに対向する部位に設けられ、施術時に毛髪に接触する第１接触部と、
前記第２アームにおける前記第１アームに対向する部位に設けられ、施術時に毛髪に接触する第２接触部と、
前記第１接触部と前記第２接触部との少なくとも一方を加熱するヒータを有した加熱部と、を備え、
前記第１接触部と前記第２接触部とはそれぞれ板状の基材を有し、それら基材の少なくとも一方は、黒鉛から形成され、
前記ヒータは、前記基材の一方の面に接触するように配されている、
ヘアーアイロン。
【請求項２】
前記第１接触部と前記第２接触部とのうち少なくとも黒鉛を含む材料から形成された前記基材を有する一方は、その基材の表面の少なくとも一部を被覆するＤＬＣ膜を有する、
請求項１に記載のヘアーアイロン。
【請求項３】
前記第１接触部と前記第２接触部との少なくとも一方を冷却する冷却部を更に備える、
請求項１または２に記載のヘアーアイロン。
【請求項４】
筒状であり施術時に毛髪に接触する接触部と、
前記接触部の側方に配置され施術時に毛髪を前記接触部に押し付けるクリップ部と、
前記接触部を加熱するヒータを有した加熱部と、を備え、
前記接触部は筒状の基材を有し、該基材は黒鉛から形成され、
前記ヒータは、前記基材の一方の面に接触するように配されている、
ヘアーアイロン。
【請求項５】
前記接触部は、前記部位の表面の少なくとも一部を被覆するＤＬＣ膜を有する、
請求項４に記載のヘアーアイロン。
【請求項６】
前記接触部を冷却する冷却部を更に備える、
請求項４または５に記載のヘアーアイロン。
【請求項７】
前記黒鉛から形成された前記基材は一体的に形成された炭素成形体とされる、
請求項１〜６のいずれか１項に記載のヘアーアイロン。
【請求項８】
前記黒鉛は、熱伝導率が１５０Ｗ／（ｍ・Ｋ）とされた等方性黒鉛、熱伝導率が１７０Ｗ／（ｍ・Ｋ）とされた異方性黒鉛または熱伝導率が１００Ｗ／（ｍ・Ｋ）とされた炭素コンポジットである、
請求項１〜７のいずれか１項に記載のヘアーアイロン。
【発明の詳細な説明】
【技術分野】
【０００１】
本発明は、ヘアーアイロンに関する。
【背景技術】
【０００２】
毛髪挟持部の一部に遠赤外線放射材料粉状体を含む多元素鉱物粉状体から形成された弾性部材が設けられたヘアーアイロンが提案されている（例えば特許文献１参照）。このヘアーアイロンは、施術時に弾性部材に含まれる遠赤外線放射材料粉状体から放射される遠赤外線により毛髪や頭皮を内部から暖めることにより、毛髪へのトリートメント剤の浸透を促進し且つ頭皮の血行を促進するというものである。遠赤外線放射材料としては、アルミナ、チタニア等のセラミックスを採用している。
【先行技術文献】
【特許文献】
【０００３】
【特許文献１】特開２０１０−２３３８３０号公報
【発明の概要】
【発明が解決しようとする課題】
【０００４】
ところが、特許文献１に記載された弾性部材は、シリコーン等の基材に遠赤外線放射材料粉状体が分散されたものであり、弾性部材に含まれる遠赤外線材料粉状体の含有率は比較的低い。従って、毛髪へのトリートメント剤の浸透促進や頭皮の血行促進といった効果が十分に発揮される程度に毛髪や頭皮を内部から暖めることができるだけの量の遠赤外線を放射できない虞がある。
【０００５】
一方、前述の毛髪挟持部全体が遠赤外線放射材料であるセラミックスで形成されたヘアーアイロンが考えられる。しかしながら、この場合、毛髪挟持部が重くなり、ヘアーアイロンを使用するユーザの負担が大きくなる虞がある。
【０００６】
本発明は、上記事由に鑑みてなされたものであり、遠赤外線の放射量を高めつつ軽量化されたヘアーアイロンを提供することを目的とする。
【課題を解決するための手段】
【０００７】
上記目的を達成するために、本発明の第１の観点に係るヘアーアイロンは、
長尺の第１アームと、長尺であり、長手方向の一端部が前記第１アームの長手方向の一端部に枢着され、他端部が前記第１アームの他端部に対して近づく方向または遠ざかる方向へ移動自在である第２アームと、を有し、前記第１アームと前記第２アームとで毛髪を挟持して施術するヘアーアイロンであって、
前記第１アームにおける前記第２アームに対向する部位に設けられ、施術時に毛髪に接触する第１接触部と、
前記第２アームにおける前記第１アームに対向する部位に設けられ、施術時に毛髪に接触する第２接触部と、
前記第１接触部と前記第２接触部との少なくとも一方を加熱するヒータを有した加熱部と、を備え、
前記第１接触部と前記第２接触部とはそれぞれ板状の基材を有し、それら基材の少なくとも一方は、黒鉛から形成され、
前記ヒータは、前記基材の一方の面に接触するように配されている。
【０００８】
また、本発明の第２の観点に係るヘアーアイロンは、
筒状であり施術時に毛髪に接触する接触部と、
前記接触部の側方に配置され施術時に毛髪を前記接触部に押し付けるクリップ部と、
前記接触部を加熱するヒータを有した加熱部と、を備え、
前記接触部は筒状の基材を有し、該基材は黒鉛から形成され、
前記ヒータは、前記基材の一方の面に接触するように配されている。
【発明の効果】
【０００９】
本発明によれば、第１接触部と第２接触部との少なくとも一方、または、接触部が、黒鉛から形成された基材を有する。これにより、例えば第１接触部および第２接触部または接触部が遠赤外線放射材料であるセラミックスの粉状体を基材に分散させたものである場合に比べて、第１接触部および第２接触部または接触部から放射される遠赤外線の量を増加させることができる。従って、施術時における毛髪や頭皮を内部から暖める効果が増強される。また、例えば第１接触部および第２接触部または接触部が遠赤外線放射材料であるセラミックスから形成されている場合に比べて、第１接触部および第２接触部または接触部の単位体積当たりの重量が低減されるので、ヘアーアイロンの軽量化が図られる。
【図面の簡単な説明】
【００１０】
【図１】本発明の実施の形態１に係るヘアーアイロンについて、（Ａ）は斜視図、（Ｂ）は（Ａ）の破線で囲んだ部分Ａ１の断面図である。
【図２】本発明の実施の形態２に係るヘアーアイロンについて、（Ａ）は側面図、（Ｂ）は（Ａ）のＡ−Ａ線における断面図である。
【図３】（Ａ）は変形例に係るヘアーアイロンの一部の断面図であり、（Ｂ）は他の変形例に係るヘアーアイロンの第１接触部および第２接触部の長手方向に直交する方向の断面図である。
【図４】（Ａ）は変形例に係るヘアーアイロンの一部の断面図であり、（Ｂ）は他の変形例に係るヘアーアイロンの側面図である。
【図５】変形例に係るヘアーアイロンについて、（Ａ）は斜視図、（Ｂ）は（Ａ）の破線で囲んだ部分Ａ２の断面図である。
【図６】変形例に係るヘアーアイロンについて、（Ａ）は側面図、（Ｂ）は（Ａ）の破線で囲んだ部分Ａ３の断面図である。
【発明を実施するための形態】
【００１１】
以下、本発明の各実施の形態について図面を参照しながら説明する。
【００１２】
（実施の形態１）
本実施の形態に係るヘアーアイロンは、毛髪を挟持して施術する際に毛髪に接触する接触部が等方性高密度黒鉛から形成されている。これにより、接触部が加熱されると、接触部から遠赤外線が放射される。そして、この接触部から放出される遠赤外線により毛髪や頭皮が内部から暖められるというものである。
【００１３】
図１（Ａ）に示すように、本実施の形態に係るヘアーアイロン１は、第１アーム２１と、第２アーム２２と、第１接触部４１と、第２接触部４２と、を備え、第１アーム２１と第２アーム２２とで毛髪を挟持して施術する。また、ヘアーアイロン１は、図１（Ｂ）に示すように、第１接触部４１を加熱するヒータ７１と、第２接触部４２を加熱するヒータ７２と、ヒータ７１、７２へ電力を供給する電源部８と、を備える。なお、図１（Ｂ）は、図１（Ａ）における破線で囲んだ部分Ａ１の断面図である。
【００１４】
第１アーム２１と第２アーム２２とは、いずれも長尺の箱状である。第２アーム２２の長手方向の一端部（図１（Ａ）の右端部）は、ヒンジ部３を介して第１アーム２１の長手方向の一端部（図１（Ａ）の右端部）に枢着されている。これにより、第２アーム２２は、その他端部（図１（Ａ）の左端部）が第１アーム２１の他端部（図１（Ａ）の左端部）に対して近づく方向または遠ざかる方向へ移動自在となっている。第１アーム２１における第２アーム２２に対向する部位には、図１（Ｂ）に示すように、内側に第１接触部４１が配置される開口部２１ａが形成されている。また、第２アーム２２における第１アーム２１に対向する部位にも、内側に第２接触部４２が配置される開口部２２ａが形成されている。第１アーム２１の一端部（図１（Ａ）の右端部）から外部電源に接続される電源コード６が導出している。
【００１５】
第１接触部４１と第２接触部４２とは、施術時に毛髪に接触する部材である。第１接触部４１は、第１アーム２１における第２アーム２２に対向する部位に設けられた開口部２１ａの内側に配置されている。第２接触部４２は、第２アーム２２における第１アーム２１に対向する部位に設けられた開口部２２ａの内側に配置されている。第１接触部４１は、等方性高密度黒鉛から長尺の板状に形成された基材４１１と、基材４１１の表面のうち第１アーム２１の外側に露出する部分を被覆するＤＬＣ（Diamond Like Carbon）膜４１２と、を有する。また、第２接触部４２は、等方性高密度黒鉛から長尺の板状に形成された基材４２１と、基材４２１の表面のうち第２アーム２２の外側に露出する部分を被覆するＤＬＣ膜４２２と、を有する。基材４１１、４２１は、例えば文献：特開２０１２−１００７７７号公報に記載の「炭素成形体」の製造方法と同様の製造方法により作製される。また、ＤＬＣ膜４１２、４２２は、ＣＶＤ（Chemical Vapor Deposition）法や真空蒸着法により形成される。また、第１接触部４１と第１アーム２１の開口部２１ａの周縁との間には断熱部材５が介在している。また、第２接触部４２と第２アーム２２の開口部２２ａの周縁との間にも断熱部材５が介在している。これにより、第１接触部４１、第２接触部４２から第１アーム２１、第２アーム２２への熱の伝達を抑制している。
【００１６】
ヒータ７１、７２は、セラミックヒータから構成される。電源部８は、導電線８１、８２を介してヒータ７１、７２に接続されており、導電線８１を介してヒータ７１へ直流電流を流し、導電線８２を介してヒータ７２へ直流電流を流す。電源部８は、外部の交流電源から電力供給線８３を介して供給される交流を直流に変換する整流平滑回路と、整流平滑回路からの出力電圧を降圧する降圧回路と、を有する。ヒータ７１、７２と電源部８とから、第１接触部４１と第２接触部４２とを加熱する加熱部が構成される。
【００１７】
本実施の形態に係るヘアーアイロン１によれば、第１接触部４１と第２接触部４２とが、等方性高密度黒鉛から形成された基材４１１、４２１を有する。これにより、例えば第１接触部および第２接触部が遠赤外線放射材料であるセラミックスの粉状体を基材に分散させたものである構成に比べて、第１接触部４１または第２接触部４２から放射される遠赤外線の量を増加させることができる。従って、施術時における毛髪や頭皮を内部から暖める効果が増強される。
【００１８】
また、アルミナや二酸化ケイ素等のセラミックスの密度が２．２［Ｍｇ／ｍ３］乃至４．１［Ｍｇ／ｍ３］程度であるのに対して、等方性高密度黒鉛の密度は１．７［Ｍｇ／ｍ３］乃至２．０［Ｍｇ／ｍ３］であり、セラミックスに比べて密度が低い。従って、例えば第１接触部および第２接触部が遠赤外線放射材料であるセラミックスから形成されている構成に比べて、第１接触部４１および第２接触部４２の単位体積当たりの重量が低減される。これにより、ヘアーアイロン１の軽量化が図られ、ヘアーアイロン１を使用するユーザの負担が軽減されるという利点がある。
【００１９】
また、第１接触部４１の表面にはＤＬＣ膜４１２が露出しており、第２接触部４２の表面にもＤＬＣ膜４２２が露出している。これにより、第１接触部４１と第２接触部４２とで毛髪を挟持した状態でヘアーアイロン１の位置を移動させる際、第１接触部４１、第２接触部４２と毛髪との間の摺動抵抗が低減されるので、ヘアーアイロン１を滑らかに移動させることが可能となる。
【００２０】
更に、本実施の形態に係るヘアーアイロン１が、第１接触部４１と第２接触部４２とから放射される遠赤外線により毛髪や頭皮を内部から暖めることを主目的とするものである場合、ヒータ７１、７２へ供給する電力を低減できる。この場合、電源部８として出力の比較的小さいものを採用することができるので、電源部８の小型化を図ることができる。
【００２１】
（実施の形態２）
本実施の形態に係るヘアーアイロンは、施術時に毛髪に接触する円筒状の接触部を加熱する機能を有し、接触部が加熱された状態で毛髪を接触部に巻き付けることにより毛髪にカールやウェーブをつけることができるものである。そして、接触部が等方性高密度黒鉛から形成されており、接触部が加熱されると、接触部から遠赤外線が放射される。
【００２２】
図２（Ａ）に示すように、本実施の形態に係るヘアーアイロン２０１は、柄２０２と、接触部２４１と、クリップ部２４２と、電源部８と、キャップ部２０９と、を備える。また、ヘアーアイロン１は、図２（Ｂ）に示すように、ブラシ部２０４を加熱するヒータ２０７を備える。ここで、電源部８からヒータ２０７へ電力が供給される。柄２０２は、図２（Ａ）に示すように、長尺の箱状に形成され内側に電源部８が収納されている。柄２０２の一端部（図２（Ａ）の下端部）から外部電源に接続される電源コード２０６が導出している。
【００２３】
接触部２４１は、円筒状であり施術時に毛髪に接触する。接触部２４１の一端部（図２（Ａ）の下端部）は、柄２０２の他端部（図２（Ａ）の上端部）に断熱部材２０５を介して固定されている。これにより、接触部２４１から柄２０２への熱の伝達が抑制されている。接触部２４１は、略円筒状である。接触部２４１は、例えば外径５ｃｍ内径３ｃｍの円筒状にしてもよい。接触部２４１は、等方性高密度黒鉛から形成された円筒状の基材２４１ａと、基材２４１ａの外側面を被覆するＤＬＣ膜２４１ｂと、を有する。基材２４１ａ並びにＤＬＣ膜２４１ｂの形成方法は、実施の形態１で説明した基材４１１、４２１並びにＤＬＣ膜４１２、４２２の形成方法と同様である。
【００２４】
クリップ部２４２は、接触部２４１の側方に配置され、施術時に毛髪を接触部２４１に押し付ける。クリップ部２４２は、長尺の押圧部２４２１と、支持部２４２２と、ヒンジ部２４２３と、レバー２４２４と、を有する。押圧部２４２１は、図２（Ｂ）に示すように、接触部２４１の側面に沿って湾曲した形状を有する。支持部２４２２は、押圧部２４２１を支持するとともに、ヒンジ部２４２３を介して柄２０２に固定されている。そして、押圧部２４２１は、ヒンジ部２４２３周りに旋回可能となっている。また、押圧部２４２１には、接触部２４１の側面を押圧する方向へ付勢するためのバネ部材（図示せず）が接続されている。そして、ユーザが柄２０２を把持した状態で、親指等でレバー２４２４を押すと、押圧部２４２１がヒンジ部２４２３周りに旋回して、接触部２４１の側面から離間した状態になる。押圧部２４２１、支持部２４２２およびヒンジ部２４２３は、チタンのような金属から形成されている。レバー２４２４は、樹脂材料から形成されている。なお、押圧部２４２１および支持部２４２２を形成する材料は、金属に限定されるものではなく、等方性黒鉛、炭素繊維複合材料（炭素繊維と樹脂材料との混合物を焼結させることにより得られるＣ／Ｃコンポジット（Carbon Fiber Reinforced Carbon Composite））または異方性黒鉛のような黒鉛を含む材料から形成されていてもよい。
【００２５】
ヒータ２０７は、セラミックヒータから構成され、接触部２４１の内側面に取り付けられている。電源部８は、実施の形態１と同様に、ヒータ２０７に接続されており、ヒータ２０７へ直流電流を流す。ヒータ２０７と電源部８とから、接触部２４１を加熱する加熱部が構成される。キャップ部２０９は、接触部２４１の他端部（図２（Ａ）の上端部）に断熱部材２０５を介して固定されている。
【００２６】
本実施の形態に係るヘアーアイロン２０１によれば、接触部２４１が等方性高密度黒鉛から形成された基材２４１ａを有する。これにより、実施の形態１と同様に、施術時における毛髪や頭皮を内部から暖める効果が増強される。また、実施の形態１と同様に、例えば接触部２４１がセラミックスから形成されている構成に比べて、ヘアーアイロン２０１の軽量化が図られる。また、接触部２４１の表面にはＤＬＣ膜２４１ｂが露出している。これにより、接触部２４１に巻き付けた毛髪を解く際、接触部２４１と毛髪との間の摺動抵抗が低減されるので、接触部２４１に巻き付けた毛髪をスムーズに解くことができる。
【００２７】
（変形例）
以上、本発明の実施の形態について説明したが、本発明は前述の実施の形態の構成に限定されるものではない。例えば、図３（Ａ）に示すヘアーアイロン３０１のように、第１接触部４１とヒータ７１との間に伝熱部３９１が介在し、第２接触部４２とヒータ７２との間に伝熱部３９２が介在する構成であってもよい。なお、図３（Ａ）において、実施の形態１と同様の構成については、図１（Ｂ）と同一の符号を付している。伝熱部３９１、３９２は、銅や鉄等の金属から形成されている。
【００２８】
実施の形態１では、第１接触部４１と第２接触部４２の両方が、等方性高密度黒鉛から形成された基材４１１、４２１を有する例について説明した。但し、これに限らず、第１接触部４１と第２接触部４２とのいずれか一方のみが、等方性高密度黒鉛から形成された部位を有する構成であってもよい。
【００２９】
実施の形態１に係るヘアーアイロン１では、第１接触部４１と第２接触部４２との互い対向する面が略平坦である構成について説明した。但し、第１接触部と第２接触部との互いに対向する面の形状はこれに限定されない。例えば図３（Ｂ）に示すように、第１接触部５４１と第２接触部５４２との互いに対向する面が、互いに近づく方向に凸となるように湾曲した形状を有するものであってもよい。なお、図３（Ｂ）において実施の形態１と同様の構成については図１（Ｂ）と同一の符号を付している。第１接触部５４１および第２接触部５４２は、それぞれ湾曲した面を有する基材５４１１、５４２１の表面にＤＬＣ膜４１２、４２２がコーティングされたものである。
【００３０】
実施の形態１で説明したヘアーアイロン１について、第１接触部４１の表面と第２接触部４２の表面との少なくとも一方に第１接触部４１、第２接触部４２の短手方向に延伸する複数の溝が形成された構成であってもよい。例えば図４（Ａ）に示すヘアーアイロン６０１のように、第１接触部６４１の基材６４１１の表面と第２接触部６４２の基材６４２１表面との両方に、第１接触部６４１、第２接触部６４２の短手方向に延伸する複数の溝６４１３、６４２３が形成された構成であってもよい。なお、図４（Ａ）において、実施の形態１に係るヘアーアイロン１と同様の構成については図１（Ｂ）と同一の符号を付している。ここで、溝６４１３、６４２３の深さおよび幅は特に限定されるものではない。また、このヘアーアイロン６０１では、第１接触部６４１の複数の溝６４１３の位置と第２接触部６４２の複数の溝６４２３とが第１接触部６４１、第２接触部６４２の長手方向において互いにずれている。
【００３１】
本構成によれば、第１接触部６４１の溝６４１３の内側または第２接触部６４２の溝６４２３の内側に毛髪が嵌め込まれた状態で毛髪を梳かすことができ、第１接触部６４１または第２接触部６４２と毛髪との接触面積が増加する。従って、毛髪をより効率よく温めることが可能となる。
【００３２】
実施の形態２で説明したヘアーアイロン２０１について、接触部２４１の表面に接触部２４１の周方向に延伸する複数の溝が形成された構成であってもよい。例えば図４（Ｂ）に示すヘアーアイロン７０１のように、接触部７２４１の表面に、接触部７２４１の周方向に延伸する複数の溝７２４３が形成された構成であってもよい。なお、図４（Ｂ）において、実施の形態２に係るヘアーアイロン２０１と同様の構成については図２（Ａ）と同一の符号を付している。
【００３３】
本構成によれば、接触部７２４１の溝７２４３の内側に毛髪が嵌め込まれた状態で毛髪を接触部７２４１に巻き付けることができ、接触部７２４１と毛髪との接触面積が増加する。従って、毛髪をより効率よく温めることが可能となる。
【００３４】
実施の形態２では、接触部７２４１が円筒状である例について説明したが、接触部７２４１の形状はこれに限定されない。例えば断面が多角形である筒状であってもよい。
【００３５】
各実施の形態では、電源部８が外部電源から電力供給を受ける例について説明したが、これに限らず、例えば蓄電部を備え、電源部８がこの蓄電部から電力供給を受ける構成であってもよい。この場合、コンセントのような給電設備がない場所でもヘアーアイロンを使用することが可能となるので、ユーザにとって使い勝手のよいヘアーアイロンを提供できる。
【００３６】
各実施の形態では、第１接触部４１、第２接触部４２および接触部２４１が等方性黒鉛から形成される例について説明したが、第１接触部４１、第２接触部４２および接触部２４１を形成する材料はこれに限定されない。例えば第１接触部４１、第２接触部４２および接触部２４１が、炭素繊維複合材料（炭素コンポジット）または異方性黒鉛から形成されていてもよい。また、セラミックスの熱伝導率が２０〜４０Ｗ／（ｍ・Ｋ）であるのに対して、等方性黒鉛の熱伝導率が１５０Ｗ／（ｍ・Ｋ）程度、異方性黒鉛の熱伝導率が１７０Ｗ／（ｍ・Ｋ）程度、炭素コンポジットの熱伝導率が１００Ｗ／（ｍ・Ｋ）程度である。従って、第１接触部４１、第２接触部４２および接触部２４１がセラミックスから形成されている場合に比べて、第１接触部４１、第２接触部４２および接触部２４１全体に熱が伝播し易い。従って、第１接触部４１、第２接触部４２および接触部２４１における加熱部分を小さくすることができるので、その分、ヒータ７１、７２、２０７を小型化することができるので、ヒータ７１、７２、２０７でのエネルギ損失低減による省エネルギ化が図られる。また、等方性黒鉛、異方性黒鉛および炭素コンポジットといった黒鉛を含む材料は、遠赤外線のみならず近赤外線も放射する。これにより、毛髪をその内部および外部の両方から暖めることができる。
【００３７】
実施の形態１では、ヒータ７１、７２を備え、第１接触部４１、第２接触部４２を加熱する機能を有するヘアーアイロン１の例について説明した。また、実施の形態２では、ヒータ２０７を備え、接触部２４１を加熱する機能を有するヘアーアイロン２０１の例について説明した。但し、ヘアーアイロンの構成は、これらに限定されるものではなく、例えば図５（Ａ）および（Ｂ）に示すヘアーアイロン８０１のように、第２接触部４２を冷却するクーラ（冷却部）８０７２を備える構成であってもよい。なお、図５（Ａ）および（Ｂ）において、実施の形態１と同様の構成については、図１（Ａ）および（Ｂ）と同一の符号を付している。ヘアーアイロン８０１は、クーラ８０７２から排出される熱を第２アーム８０２２外へ排出するためのヒートシンク８２２１と、ヒートシンク８２２１から第２アーム８０２２内へ伝達する熱を遮断するための断熱部材８２２２と、を備える。第２アーム８０２２の一部には、ヒートシンク８２２１の一部を露出させるための窓部８０２２ａが形成されている。また、電源部８０８は、導電線８０８１を介してクーラ８０７２に接続されている。電源部８０８は、外部の交流電源から電力供給線８０８３を介して供給される交流を直流に変換する整流平滑回路と、整流平滑回路からの出力電圧を降圧する降圧回路と、を有する。また、第２アーム８０２２のヒンジ部３近傍には、スライド式のスイッチ８２２３が設けられている。スイッチ８２２３は、ユーザによりスライド操作がなされることにより、電源部８からヒータ７１へ電力を供給して第１接触部４１を加熱する状態と、電源部８０８からクーラ８０７２へ電力を供給して第２接触部４２を冷却する状態と、のいずれかに切り替えることができる。
【００３８】
クーラ８０７２は、ペルチェ素子８７２１と伝熱部８７２２とを有する。ペルチェ素子８７２１は、２種類の金属または半導体の接合部に電流が流されることにより、熱の偏りが生じるというペルチェ効果を利用した平板状の熱電変換素子である。このペルチェ素子８７２１としては、例えば電流が流された際の吸熱部８７２１ａと発熱部８７２１ｂとの温度差が３０℃程度となるものを採用することができる。伝熱部８７２２は、銅等の金属やグラファイトから棒状に形成されている。この伝熱部８７２２は、一面が第２接触部４２に面接触し他面にペルチェ素子８７２１の吸熱部８７２１ａに接触している。これにより、ペルチェ素子８７２１の吸熱部８７２１ａは、第２接触部４２と熱的に結合している。ヒートシンク８２２１は、銅等の金属やグラファイトから形成され、ペルチェ素子８７２１の発熱部８７２１ｂに接触し一部が外部に露出している。なお、ヒートシンク８２２１は、例えば膨張黒鉛から形成された黒鉛シートを積層してなる積層体から構成されていてもよい。
【００３９】
或いは、例えば図６（Ａ）および（Ｂ）に示すヘアーアイロン９０１のように、接触部２４１を冷却するクーラ９２０７を備える構成であってもよい。なお、図６（Ａ）および（Ｂ）において、実施の形態２または前述の図５（Ａ）および（Ｂ）に示す変形例と同様の構成については、図２（Ａ）および（Ｂ）、図５（Ａ）および（Ｂ）と同一の符号を付している。ヘアーアイロン９０１は、クーラ９２０７から排出される熱を柄９２０２外へ排出するためのヒートシンク９２４３と、ヒートシンク９２４３から柄９２０２内へ伝達する熱を遮断するための断熱部材９２４４と、を備える。柄９２０２の一部には、ヒートシンク９２４３の一部を露出させるための窓部９２０２ａが形成されている。また、電源部８０８は、導電線（図示せず）を介してクーラ９２０７に接続されている。また、柄９２０２には、スライド式のスイッチ９２２１が設けられている。スイッチ９２２１は、ユーザによりスライド操作がなされることにより、電源部８からヒータ２０７へ電力を供給して接触部２４１を加熱する状態と、電源部８０８からクーラ９２０７へ電力を供給して接触部２４１を冷却する状態と、のいずれかに切り替えることができる。
【００４０】
クーラ９２０７は、ペルチェ素子９２７１と伝熱部９２７２とを有する。伝熱部９２７２は、銅等の金属やグラファイトから棒状に形成されている。この伝熱部９２７２は、一端部が接触部２４１に接触し他端部がペルチェ素子９２７１の吸熱部９２７１ａに接触している。これにより、ペルチェ素子９２７１の吸熱部９２７１ａは、接触部２４１と熱的に結合している。ヒートシンク９２４３は、銅等の金属やグラファイトから形成され、ペルチェ素子９２７１の発熱部９２７１ｂに接触し一部が外部に露出している。
【００４１】
本構成によれば、第２接触部４２または接触部２４１を冷却することができるので、ユーザに冷感を与えることができる。
【００４２】
なお、前述の図５（Ａ）および（Ｂ）に示す変形例では、第１接触部４１を加熱するヒータ７１と、第２接触部４２を冷却するクーラ８０７２と、を備えるヘアーアイロン８０１の例について説明したが、これに限らず、第１接触部４１、第２接触部４２の両方を冷却するクーラを備える構成であってもよい。
【００４３】
各実施の形態では、第１接触部４１の基材４１１、第２接触部４２の基材４２１或いは接触部２４１の基材２４１ａが、等方性高密度黒鉛から形成される例について説明した。但し、これに限らず、基材４１１、４２１、２４１ａが、例えば異方性黒鉛から形成されてもよい。或いは、基材４１１、４２１、２４１ａが、炭素繊維複合材料（Ｃ／Ｃコンポジット）から形成されていてもよい。
【００４４】
以上、本発明の各実施の形態および変形例（なお書きに記載したものを含む。以下、同様。）について説明したが、本発明はこれらに限定されるものではない。本発明は、実施の形態及び変形例が適宜組み合わされたもの、それに適宜変更が加えられたものを含む。
【符号の説明】
【００４５】
１，２０１，３０１，６０１，７０１，８０１，９０１：ヘアーアイロン、３，２４２３：ヒンジ部、５，２０５，８２２２，９２４４：断熱部材、６，２０６：電源コード、８，８０８：電源部、２１：第１アーム、２１ａ，２２ａ：開口部、２２，８０２２：第２アーム、４１，５４１，６４１：第１接触部、４２，５４２，６４２：第２接触部、７１，７２，２０７：ヒータ、８１，８２，８０８１：導電線、８３，８０８３：電力供給線、２０２，９２０２：柄、２０９：キャップ部、２４１，７２４１：接触部、２４１ａ，２４２ａ，４１１，４２１，５４１１，５４２１，６４１１，６４２１：基材、２４１ｂ，２４２ｂ，４１２，４２２：ＤＬＣ膜、２４２：クリップ部、３９１，３９２：伝熱部、２４２１：押圧部、２４２２：支持部、２４２４：レバー、６４１３，６４２３，７２４３：溝、８０２２ａ，９２０２ａ：窓部、８０７２，９２０７：クーラ、８２２１，９２４３：ヒートシンク、８２２３，９２２１：スイッチ、８７２１，９２７１：ペルチェ素子、８７２１ａ，９２７１ａ：吸熱部、８７２１ｂ，９２７１ｂ：発熱部、８７２２，９２７２：伝熱部
【図１】
2020018936.tif 000003
【図２】
2020018936.tif 000004
【図３】
2020018936.tif 000005
【図４】
2020018936.tif 000006
【図５】
2020018936.tif 000007
【図６】
2020018936.tif 000008